(57)【特許請求の範囲】
【請求項１】
第１システムと第２システムとが共存する通信環境で第１システムをサポートする基地局の方法であって、
前記第２システムをサポートする隣接基地局のスーパーフレームの境界に関する情報を含むメッセージを端末に送信する段階を含み、
前記スーパーフレームの境界に関する情報は前記隣接基地局のスーパーフレームの第１フレームと整列される前記基地局のフレーム番号を示す情報を含む方法。
【請求項２】
前記スーパーフレームの境界に関する情報は、前記隣接基地局のスーパーフレームの第１フレームと整列される前記基地局のフレーム番号を予め設定された係数を用いてモジュロ演算した結果を示す情報を含む請求項１に記載の方法。
【請求項３】
前記スーパーフレームの境界に関する情報を含むメッセージは、隣接基地局メッセージ、スキャン応答メッセージ、及びハンドオーバの遂行指示メッセージのうちいずれか１つである請求項１に記載の方法。
【請求項４】
前記第２システムをサポートする隣接基地局のスーパーフレームの境界に関する情報を含むメッセージは、前記端末に周期的に送信される請求項１に記載の方法。
【請求項５】
前記第２システムをサポートする隣接基地局のスーパーフレームの境界に関する情報を上位ネットワークエンティティ、前記隣接基地局、及びユーザ端末のうち少なくとも１つから獲得する段階をさらに含む請求項１に記載の方法。
【請求項６】
第１システムと第２システムとが共存する通信環境で第１システムと第２システムをサポートする端末の方法であって、
前記第１システムをサポートする第１基地局から第２システムをサポートする隣接基地局のスーパーフレームの境界に関する情報を含むメッセージを受信する段階を含み、
前記スーパーフレームの境界に関する情報は前記隣接基地局のスーパーフレームの第１フレームと整列される前記第１基地局のフレーム番号を示す情報を含む方法。
【請求項７】
前記スーパーフレームの境界に関する情報は、前記隣接基地局のスーパーフレームの第１フレームと整列される前記第１基地局のフレーム番号を予め設定された係数を用いてモジュロ演算した結果を示す情報を含む請求項６に記載の方法。
【請求項８】
前記スーパーフレームの境界に関する情報を含むメッセージは、隣接基地局メッセージ、スキャン応答メッセージ及びハンドオーバの遂行指示メッセージのうちいずれか１つである請求項６に記載の方法。
【請求項９】
前記受信されたスーパーフレーム境界に関する情報に基づいて前記第２システムをサポートする前記隣接基地局に対するスキャンを行う、又は、
前記受信されたスーパーフレーム境界に関する情報に基づいて前記第２システムをサポートする隣接基地局に対するハンドオーバを行う段階をさらに含む請求項６に記載の方法。
【請求項１０】
前記受信されたスーパーフレーム境界に関する情報を用いて前記第２システムをサポートする隣接基地局のプリアンブル送信位置を決定する段階をさらに含む請求項６に記載の方法。
【請求項１１】
第１システムと第２システムとが共存する通信環境で第１システムをサポートする基地局装置であって、
前記第２システムをサポートする隣接基地局のスーパーフレーム境界（ｂｏｕｎｄａｒｙ）に関する情報を含むメッセージを端末に送信する送受信部を含み、
前記スーパーフレーム境界に関する情報は前記隣接基地局のスーパーフレームの第１フレームと整列される前記基地局装置のフレーム番号を示す情報を含む装置。
【請求項１２】
前記スーパーフレーム境界に関する情報は、前記隣接基地局のスーパーフレームの第１フレームと整列される前記基地局装置のフレーム番号を予め設定された係数を用いてモジュロ演算した結果を示す情報を含む請求項１１に記載の装置。
【請求項１３】
前記スーパーフレームの境界に関する情報を含むメッセージは、隣接基地局メッセージ、スキャン応答メッセージ及びハンドオーバの遂行指示メッセージのうちいずれか１つである請求項１１に記載の装置。
【請求項１４】
前記送受信部は、前記第２システムをサポートする隣接基地局のスーパーフレームの境界に関する情報を含むメッセージを前記端末に周期的に送信する請求項１１に記載の装置。
【請求項１５】
前記送受信部は、上位ネットワークエンティティ、前記隣接基地局、及びユーザ端末のうち少なくとも１つから前記第２システムをサポートする隣接基地局のスーパーフレームの境界に関する情報を獲得する請求項１１に記載の装置。
【請求項１６】
第１システムと第２システムとが共存する通信環境で第１システムと第２システムをサポートする端末の装置であって、
前記第１システムをサポートする第１基地局から前記第２システムをサポートする隣接基地局のスーパーフレームの境界に関する情報を含むメッセージを受信する送受信部を含み、
前記スーパーフレームの境界に関する情報は前記隣接基地局のスーパーフレームの第１フレームと整列される前記第１基地局のフレーム番号を示す情報を含む装置。
【請求項１７】
前記スーパーフレームの境界に関する情報は、前記隣接基地局のスーパーフレームの第１フレームと整列される前記第１基地局のフレーム番号を予め設定された係数を用いてモジュロ演算した結果を示す情報を含む請求項１６に記載の装置。
【請求項１８】
前記スーパーフレームの境界に関する情報を含むメッセージは、隣接基地局メッセージ、スキャン応答メッセージ及びハンドオーバの遂行指示メッセージのうちいずれか１つである請求項１６に記載の装置。
【請求項１９】
プロセッサをさらに含み、
前記プロセッサは前記受信されたスーパーフレームの境界に関する情報に基づいて前記第２システムをサポートする前記隣接基地局に対するスキャンを行う、又は、
前記受信されたスーパーフレーム境界に関する情報に基づいて前記第２システムをサポートする隣接基地局に対するハンドオーバを行うように制御する請求項１６に記載の装置。
【請求項２０】
プロセッサをさらに含み、
前記プロセッサは前記受信されたスーパーフレームの境界に関する情報を用いて前記第２システムをサポートする隣接基地局のプリアンブル送信位置を決定する請求項１６に記載の装置。
【発明の詳細な説明】
【技術分野】
【０００１】
本発明は、無線通信システムに関し、特にレガシーシステムと新しいシステムとが共存する環境の無線通信システムに関する。
【背景技術】
【０００２】
次世代通信システムは移動端末（ＭＳ：Ｍｏｂｉｌｅ  Ｓｔａｔｉｏｎ、以下「端末」と称する）に様々な高速の大容量サービスを提供する形態に発展している。次世代通信システムの代表的な例としては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システム、Ｍｏｂｉｌｅ  ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムなどがある。
【０００３】
一方、次世代通信システムは、レガシーシステムに比べ高速のデータをサービスするか、具現上の問題を解決する方向に進化している。このような進化の過程で既存（Ｌｅｇａｃｙ）システムとの互換性に応じて様々な通信システムが同じ地域内に共存する場合がある。例えば、ＩＥＥＥ  ８０２．１６ｅ通信システムが設置された地域にレガシーシステムより進化したＩＥＥＥ  ８０２．１６ｍ通信システムが追加的に設置され、同じ地域内に前記ＩＥＥＥ  ８０２．１６ｅ通信システムと前記ＩＥＥＥ  ８０２．１６ｍ通信システムとが共存する場合がある。この場合、新しいシステム（例えば、ＩＥＥＥ  ８０２．１６ｍシステム）は新しい端末（例えば、８０２．１６ｍ端末）に対するサービスだけでなく、レガシーシステム（例えば、ＩＥＥＥ  ８０２．１６ｅシステム）からサービスを受けるレガシー端末（例えば、ＩＥＥＥ  ８０２．１６ｅ端末）に対するサービスのサポートが可能でなければならず、前記新しい端末も前記レガシーシステムからサービスをサポートされることが可能でなければならない。
【０００４】
したがって、前記次世代通信システムの進化の過程において、レガシー端末及び新しい端末をいずれもサポートするための方案が必要である。特に、レガシー通信システムと新しい通信システムとが共存する地域で、前記レガシー端末及び新しい端末が現在サービスを受けている通信システム以外の他の通信システムの基地局に対するスキャン及びハンドオーバを行うための方案が必要である。
【０００５】
一方、前記レガシー通信システム及び新しい通信システムは、フレーム構造が互いに異なるため、各通信システムに属する基地局が互いに異なる位置でプリアンブルを送信するようになる。そのため、レガシー通信システムの基地局からサービスを受ける端末は新しい通信システムの基地局が送信するプリアンブルの位置を知らないため、前記新しい通信システムの基地局に対するスキャン又はハンドオーバを行うことが困難である。
【０００６】
したがって、無線通信システムにおけるプリアンブル情報を提供するための方法及び装置が提案される必要がある。
【０００７】
上記の内容は、本明細書の理解を助けるための背景情報として提示されたものにすぎず、本明細書に関連する先行技術として適用可能であるか否かについては決定及び証明されない。
【発明の概要】
【発明が解決しようとする課題】
【０００８】
本発明は、上記問題点を解決するために案出されたものであって、本発明の目的は、無線通信システムにおけるプリアンブル情報を提供する方法及び装置を提供することにある。
本発明の他の目的は、レガシーシステムと新しいシステムとが共存する通信環境でレガシー基地局が新しい基地局のプリアンブルに関連した位置情報を端末に送信する方法及び装置を提供することにある。
【０００９】
本発明のさらに他の目的は、レガシーシステムと新しいシステムとが共存する通信環境でレガシー基地局に接続した端末が、新しい基地局が送信するプリアンブルの位置情報を獲得してスキャン及びハンドオーバを行う方法及び装置を提供することにある。
【課題を解決するための手段】
【００１０】
本発明の一実施形態によれば、第１システムと第２システムとが共存する通信環境で第１システムの基地局が、隣接する第２システムの基地局情報を提供する方法は、前記隣接する第２システムの基地局のスーパーフレーム境界（ｂｏｕｎｄａｒｙ）を示す情報を含むメッセージを生成する段階と、前記スーパーフレーム境界を示す情報を含むメッセージを端末に送信する段階と、を含むことを特徴とする。
【００１１】
本発明の一実施形態によれば、第１システムと第２システムとが共存する通信環境で第１システムの基地局と通信する端末が、隣接する第２システムの基地局情報を獲得する方法は、前記第１システムの基地局から隣接する第２システムの基地局のスーパーフレーム境界を示す情報を含むメッセージを受信する段階と、受信されたスーパーフレーム境界情報を用いて前記第２システムの基地局を識別する段階と、を含むことを特徴とする。
【００１２】
本発明の一実施形態によれば、第１システムと第２システムとが共存する通信環境で第１システムの基地局が、第２システムの隣接基地局情報を提供する装置は、前記隣接する第２システムの基地局のスーパーフレーム境界（ｂｏｕｎｄａｒｙ）情報を含むメッセージを生成する制御部と、前記スーパーフレーム境界を示す情報を含むメッセージを端末に送信する送受信部と、を含むことを特徴とする。
【００１３】
本発明の一実施形態によれば、第１システムと第２システムとが共存する通信環境で第１システムの基地局と通信する端末が、隣接する第２システムの基地局情報を獲得する装置は、前記第１システムの基地局から隣接する第２システムの基地局のスーパーフレーム境界を示す情報を含むメッセージを受信する送受信部と、受信されたスーパーフレーム境界情報を用いて前記第２システムの基地局を識別する制御部と、を含むことを特徴とする。
【図面の簡単な説明】
【００１４】
【図１】本発明の実施形態によってＩＥＥＥ  ８０２．１６ｅ通信システムとＩＥＥＥ  ８０２．１６ｍ通信システムとが共存する環境を示す図である。
【図２】本発明の実施形態によってレガシー基地局と新しい基地局とが共存する環境における端末が新しい基地局をスキャンする信号の流れを示す図である。
【図３】本発明の実施形態によってレガシー基地局と新しい基地局とが共存する環境における端末が新しい基地局にハンドオーバする信号の流れを示す図である。
【図４】本発明の実施形態によってレガシー基地局と新しい基地局とが共存する環境におけるレガシー基地局の動作手順を示す図である。
【図５】本発明の実施形態によってレガシー基地局と新しい基地局とが共存する環境における端末の動作手順を示す図である。
【図６】本発明の実施形態によるレガシー基地局のブロック構成を示す図である。
【図７】本発明の実施形態による端末のブロック構成を示す図である。
【発明を実施するための形態】
【００１５】
以下、本発明の好ましい実施形態を添付された図面を参照して詳しく説明する。なお、本発明を説明するに当たって、関連する公知の機能または構成に対する具体的な説明が本発明の要旨を不要に不明確にする可能性があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００１６】
以下、本発明では、レガシー通信システムと新しい通信システムとが共存する環境でレガシー基地局が新しい基地局のプリアンブルに関連した位置情報を端末に送信する方法及び装置について説明する。
【００１７】
「システム」という用語は、「通信システム」の略語で、端末に通信サービスを提供する基本環境を指す。ここで、「システム」という用語は、基地局と混用されて用いられ得るが、基地局の他にも中継局、ＡＰ（Ａｃｃｅｓｓ  Ｐｏｉｎｔ）などのようなサービス提供エンティティをいずれも指すことができる。
【００１８】
以下、本発明において用いられる用語「レガシーシステム」及び「新しいシステム」は、互いに異なる通信規格に基づくシステムを意味するものであって、さらに詳しくは、前記「レガシーシステム」はレガシーシステムを意味し、前記「新しいシステム」は前記レガシーシステムより進化した通信規格を適用するシステムを意味する。
【００１９】
また、本明細書ではレガシーシステムの例としてＩＥＥＥ  ８０２．１６ｅシステムを説明し、新しいシステムの例としてＩＥＥＥ  ８０２．１６ｍシステムを説明するが、これはあくまでも例示に過ぎないものであり、以下、本発明は、互いに異なるフレーム構造を有する通信システムが共存する環境でも同じ方式で適用されることができる。
【００２０】
以下、本発明では説明の便宜のために、「ＩＥＥＥ  ８０２．１６ｅ」を「１６ｅ」と称し、「ＩＥＥＥ  ８０２．１６ｍ」を「１６ｍ」と称する。
【００２１】
図１は、本発明の実施形態によってＩＥＥＥ  ８０２．１６ｅシステムとＩＥＥＥ  ８０２．１６ｍシステムとが共存する環境を示している。
【００２２】
前記図１を参照すると、第１セル１００は、１６ｅ基地局１１０及び前記１６ｅ基地局１１０を介して通信を行う１６ｍ端末１２０を含む。前記第１セル１００で前記１６ｅ基地局１１０及び前記１６ｍ端末１２０は、１６ｅシステムがサポートするフレーム構造１３０に従って通信を行う。本発明の実施形態によれば、前記１６ｅシステムがサポートするフレーム構造１３０は、５ｍｓ単位の連続するフレームからなる。この時、前記１６ｅ基地局１１０は、各フレーム（ｆｒａｍｅ）ごとにプリアンブル（ｐｒｅａｍｂｌｅ）を送信し、前記１６ｍ端末１２０は、前記プリアンブルを用いて前記１６ｅ基地局１１０を識別してスキャンを行う。
【００２３】
次に、第２セル１４０は、１６ｍ基地局１５０及び前記１６ｍ基地局１５０を介して通信を行う１６ｍ端末１６０を含む。前記第２セル１４０で前記１６ｍ基地局１５０及び前記１６ｍ端末１６０は、１６ｍシステムがサポートするフレーム構造１７０に従って通信を行う。本発明の実施形態によれば、前記１６ｍシステムがサポートするフレーム構造１７０は、２０ｍｓ単位の連続するスーパーフレーム（ＳＦ：ｓｕｐｅｒｆｒａｍｅ）からなり、各スーパーフレームは４つの５ｍｓ単位のフレーム（ｆｒａｍｅ）で構成される。この時、前記１６ｍ基地局１５０は、各スーパーフレームのフレームごとにプリアンブルを送信し、特に、１番、３番、４番フレームで補助プリアンブル（ｓｅｃｏｎｄａｒｙ  ｐｒｅａｍｂｌｅ）を送信し、２番フレームで主プリアンブル（ｐｒｉｍａｒｙ  ｐｒｅａｍｂｌｅ）を送信する。前記補助プリアンブルは、前記１６ｍ基地局１５０を識別してスキャンを行うために使用され、前記主プリアンブルは、前記１６ｍ基地局１５０とのタイム同期を獲得し帯域（ｂａｎｄｗｉｄｔｈ）情報を獲得するために使用される。ここで、システムの具現方式によっては、前記４番フレームで前記補助プリアンブルが送信されない場合もある。
【００２４】
上記のように、フレーム構造が互いに異なる前記１６ｅシステムと１６ｍシステムとが共存する環境で、前記１６ｅ基地局１１０を介して通信中を行っている１６ｍ端末１２０が１６ｍ基地局１５０に対するスキャン又はハンドオーバを行おうとする場合、前記１６ｍ端末１２０が前記１６ｅ基地局１１０からサービスを受けながら１６ｍ基地局１５０のプリアンブル位置を自ら把握してスキャン又はハンドオーバを行うことは不可能である。例えば、１６ｅ基地局１１０に接続している１６ｍ端末１２０は、１６ｅフレームを基準にどのフレーム時間に１６ｍ基地局１５０の補助プリアンブルが送信されるかを知ることができない。その結果、前記１６ｍ端末１２０で誤った動作が発生し、ＣＩＮＲ／ＲＳＳＩ測定結果を誤って判断する可能性が存在し、不要なフレームまでスキャンを行うことによってスキャンによる通信断絶が非効率的に発生する。
【００２５】
したがって、本発明の実施形態では、前記１６ｅ基地局１１０が前記１６ｍ基地局１５０のプリアンブル情報を前記１６ｍ端末１２０に送信し、前記１６ｍ端末１２０が前記１６ｍ基地局１５０に対するスキャン又はハンドオーバを行うことができるようにする。
【００２６】
例えば、本発明では、レガシー基地局が新しい基地局のプリアンブルに関連した位置情報を前記レガシー基地局からサービスを受ける新しい端末に送信し、前記新しい端末が前記新しい基地局に対するスキャン及びハンドオーバを行うことができるようにする。
【００２７】
例えば、本発明の実施形態によれば、前記レガシー基地局が新しい基地局のプリアンブルに関連した位置（又は時点）情報を端末に提供する方案としては、前記レガシーシステムが周期的にブロードキャストする隣接基地局メッセージ（Ｍｏｂｉｌｅ  Ｎｅｉｇｈｂｏｒ  Ａｄｖｅｒｔｉｓｅｍｅｎｔ：ＭＯＢ＿ＮＢＲ−ＡＤＶ又はＮＢＲ＿ＡＢＳ−ＡＤＶ）を用いる方案、端末にスキャンを指示するユニキャストメッセージ（ＭＯＢ＿ＳＣＮ−ＲＳＰ）又はハンドオーバの遂行を指示するユニキャストメッセージ（ＭＯＢ＿ＢＳＨＯ−ＲＥＱ／ＲＳＰ）を用いる方案がある。以下、本発明の実施形態では、前記レガシー基地局が隣接基地局メッセージを用いて前記新しい基地局のプリアンブルに関連した位置情報を端末に送信する方案を例に挙げて説明するが、本発明の要旨から逸脱しない範囲内で、前記端末にスキャンを指示するユニキャストメッセージ又はハンドオーバの遂行を指示するユニキャストメッセージに前記新しい基地局のプリアンブルに関連した位置情報を含める場合にも同様に適用され得る。
【００２８】
前記レガシー基地局は、前記新しい基地局のプリアンブル位置情報として、下記表１に示すように、補助プリアンブルが送信されるフレームの位置を知らせるか、又は下記表２に示すように、スーパーフレームの境界（ｂｏｕｎｄａｒｙ）、例えば、スーパーフレームのヘッダが開始されるフレームの位置を知らせることができる。
【００２９】
下記表１は、補助プリアンブルの位置を示す場合のプリアンブル位置情報の構造を示す。
【００３０】
【表１】
0006006304.tif 000002
【００３１】
前記表１で、前記「Ｐｒｅａｍｂｌｅ  ｌｏｃａｔｉｏｎ  ｉｎ  ｎｅｗ  ｔｙｐｅ  ｏｆ  ｂａｓｅ  ｓｔａｔｉｏｎ」は、レガシー基地局が新しい端末に送信する新しい基地局のプリアンブル位置情報を示し、前記図１に示すように、８０２．１６ｍシステムのフレーム構造で１番フレームと３番フレームを介して補助プリアンブルが送信される特性を利用して、前記レガシー基地局のフレーム番号を基準に前記新しい基地局の補助プリアンブルが送信されるフレームの開始位置を示す。例えば、前記レガシー基地局は、自らのフレーム番号Ｎに対して、（Ｎ  ｍｏｄ  ２＝＝０）のフレーム区間（又は時間）に新しい基地局の補助プリアンブルが送信されるか、または（Ｎ  ｍｏｄ  ２＝＝１）のフレーム区間に新しい基地局の補助プリアンブルが送信されることを示す。例えば、新しい基地局の補助プリアンブルが送信される１番フレーム及び３番フレームが前記レガシー基地局の３番フレーム及び５番フレームの区間内で開始される場合、（Ｎ  ｍｏｄ  ２＝＝１）のフレームが前記新しい基地局の補助プリアンブルが送信される位置であることを知らせる。すると、新しい端末は、前記レガシー基地局の（Ｎ  ｍｏｄ  ２＝＝１）のＮ番目フレームの区間で前記新しい基地局が補助プリアンブルを送信することを知ることができる。一方、前記新しい基地局の補助プリアンブルが送信される１番フレーム及び３番フレームが前記レガシー基地局の２番フレーム及び４番フレームの区間で開始される場合、（Ｎ  ｍｏｄ  ２＝＝０）のフレームが前記新しい基地局の補助プリアンブルが送信される位置であることを知らせる。すると、新しい端末は、前記レガシー基地局の（Ｎ  ｍｏｄ  ２＝＝０）のＮ番目フレーム区間で前記新しい基地局が補助プリアンブルを送信することを知ることができる。
【００３２】
下記表２は、補助プリアンブルが送信されるスーパーフレームヘッダを示す場合のプリアンブル位置情報の構造を示す。
【００３３】
【表２】
0006006304.tif 000003
【００３４】
前記表２で、前記「Ｐｒｅａｍｂｌｅ  ｌｏｃａｔｉｏｎ  ｉｎ  ｎｅｗ  ｔｙｐｅ  ｏｆ  ｂａｓｅ  ｓｔａｔｉｏｎ」は、レガシー基地局が新しい端末に送信する新しい基地局のプリアンブル位置情報を示し、前記図１に示すように、８０２．１６ｍシステムのフレーム構造でスーパーフレームのヘッダが開始される１番フレームを介して補助プリアンブルが送信される特性を利用して、前記レガシー基地局のフレーム番号を基準に前記新しい基地局のスーパーフレームのヘッダが開始される位置を示す。例えば、前記レガシー基地局は、自らのフレーム番号Ｎに対して、（Ｎ  ｍｏｄ  ４＝＝０）、（Ｎ  ｍｏｄ  ４＝＝１）、（Ｎ  ｍｏｄ  ４＝＝２）及び（Ｎ  ｍｏｄ  ４＝＝３）のうちいずれか１つのフレーム区間で新しい基地局のスーパーフレームヘッダが開始されることを示す。例えば、新しい基地局のスーパーフレームヘッダが開始される１番フレームが前記レガシー基地局の１番フレームの区間で開始される場合、（Ｎ  ｍｏｄ  ４＝＝１）のフレームが前記新しい基地局のスーパーフレームのヘッダが開始される位置であることを知らせる。すると、新しい端末は、前記レガシー基地局の（Ｎ  ｍｏｄ  ４＝＝１）のＮ番目フレームの区間で前記新しい基地局が補助プリアンブルを送信することを知ることができる。一方、前記新しい基地局のスーパーフレームヘッダが開始される１番フレーム区間で前記レガシー基地局の３番フレームが開始される場合、（Ｎ  ｍｏｄ  ４＝＝３）のフレームが前記新しい基地局のスーパーフレームのヘッダが開始される位置であることを知らせる。すると、新しい端末は、前記レガシー基地局の（Ｎ  ｍｏｄ  ４＝＝３）のＮ番目フレームで前記新しい基地局が補助プリアンブルを送信することを知ることができる。
【００３５】
前記レガシー基地局は、前記新しい基地局のプリアンブル位置情報として、下記表１及び表２に示したように、補助プリアンブルが送信されるフレームの位置を知らせるか、又はスーパーフレームヘッダが開始されるフレームの位置を知らせることができる。
【００３６】
また、前記レガシー基地局は、前記新しい基地局のプリアンブル位置情報として、例えば、下記表３に示すように、補助プリアンブルが送信されるフレームの位置を示すオフセットを端末に知らせることができる。
【００３７】
下記表３は、補助プリアンブルが送信される位置に対するオフセットを示すプリアンブル位置情報の構造を示す。
【００３８】
【表３】
0006006304.tif 000004
【００３９】
前記表３で、前記「Ｏｆｆｓｅｔ  ｔｏ  ｐｒｅａｍｂｌｅ  ｉｎ  ｎｅｗ  ｔｙｐｅ  ｏｆ  ｂａｓｅ  ｓｔａｔｉｏｎ」は、基準時点と新しい基地局の補助プリアンブルの送信時点との間のオフセットを示すプリアンブル位置情報であって、基準時点からＮミリセカンド（ｍｓｅｃ）、Ｎフレーム又はＮフレーム＋Ｍサブフレーム以降、新しい基地局の補助フレームが送信されることを示すことができる。ここで、前記基準時点は、前記レガシー基地局が前記プリアンブル位置情報を送信した時点である場合もあり、前記端末が前記プリアンブル位置情報を受信した時点である場合もある。また、前記プリアンブル位置情報は、前記プリアンブル位置情報が送受信されるフレームを基準に最も近い時点の新しい基地局の補助プリアンブル送信位置を示すことができる。例えば、前記プリアンブル位置情報は、前記隣接基地局メッセージ（ＭＯＢ＿ＮＢＲ−ＡＤＶ又はＮＢＲ＿ＡＢＳ−ＡＤＶ）、スキャン指示メッセージ（ＭＯＢ＿ＳＣＮ−ＲＳＰ）及びハンドオーバの遂行指示メッセージ（ＭＯＢ＿ＢＳＨＯ−ＲＥＱ／ＲＳＰ）のうちいずれか１つのメッセージに含まれて送信されることによって、当該メッセージの送受信が行われるフレームを基準に、Ｎミリセカンド、Ｎフレーム又はＮフレーム＋Ｍサブフレーム以降の時点が新しい基地局の補助プリアンブル送信時点であることを知らせることができる。
【００４０】
すると、以下では、前記レガシー基地局が隣接基地局メッセージを用いて新しい基地局のプリアンブルに関連した位置情報を送信する場合を例に挙げて、本発明について詳しく述べる。
【００４１】
図２は、本発明の実施形態によってレガシー基地局と新しい基地局とが共存する環境における端末が新しい基地局をスキャンする信号の流れを示している。ここでは、新しいシステムの端末２００がレガシー基地局である１６ｅ基地局２０２と通信を行っており、前記１６ｅ基地局２０２に新しい基地局である第１の１６ｍ基地局２０４及び第２の１６ｍ基地局２０６が隣接している場合、前記端末２００が前記第１の１６ｍ基地局２０４及び第２の１６ｍ基地局２０６に対するスキャンを行う場合を例に挙げて説明する。
【００４２】
前記図２を参照すると、１６ｅ基地局２０２は、隣接基地局に関する情報を獲得し、ステップ２１０にて、前記獲得した隣接基地局に関する情報を含む隣接基地局メッセージ（ＮＢＲ＿ＡＢＳ−ＡＤＶ）を前記端末２００に送信する。例えば、前記隣接基地局メッセージは、前記表１、表２及び表３に示したように、隣接する第１の１６ｍ基地局２０４及び第２の１６ｍ基地局２０６のプリアンブル位置情報を含む。例えば、前記隣接基地局メッセージは、隣接する１６ｍ基地局のプリアンブルインデックス、基地局識別子、アップリンクチャネル情報、スーパーフレームヘッダ（ＳＦＨ；ｓｕｐｅｒｆｒａｍｅ  ｈｅａｄｅｒ）などのシステム構成情報などを含むことができ、このようなシステム構成情報は、前記端末２００のスキャン又はハンドオーバに使用され得る。また、前記隣接基地局メッセージは、前記１６ｅ基地局２０２に隣接する基地局の情報を端末に送信するためのメッセージであって、１６ｍシステムをサポートする隣接基地局の情報及び１６ｅシステムをサポートする隣接基地局の情報を含むことができることは勿論である。ここで、前記１６ｅ基地局２０２の隣接基地局として、１６ｅ基地局と１６ｍ基地局とが共存する場合、前記隣接基地局メッセージは、前記１６ｅ基地局と１６ｍ基地局とを別途のリストとして構成して含むことができる。
【００４３】
すると、前記端末２００は、ステップ２１２にて、前記隣接基地局メッセージに含まれた情報に基づいて隣接する基地局に対するスキャンを行うために、スキャン要求メッセージ（ＭＯＢ＿ＳＣＨ−ＲＥＱ）を前記１６ｅ基地局２０２に送信する。例えば、前記スキャン要求メッセージは、１６ｅシステムに属する基地局又は１６ｍシステムに属する基地局を含むことができる。以降、前記１６ｅ基地局２０２は、ステップ２１４にて、前記スキャン要求メッセージに対する応答としてスキャン応答メッセージ（ＭＯＢ＿ＳＣＮ−ＲＳＰ）を前記端末２００に送信する。
【００４４】
前記端末２００は、前記スキャン要求メッセージ及びスキャン応答メッセージに１６ｍ基地局が含まれた場合、ステップ２１６にて、前記隣接基地局メッセージからプリアンブル位置情報を獲得して前記第１の１６ｍ基地局２０４及び第２の１６ｍ基地局２０６のプリアンブル送信位置を計算する。例えば、端末２００は、前記隣接基地局メッセージから前記表１、表２又は表３に示すプリアンブル位置情報を獲得し、前記１６ｅ基地局２０２のフレーム番号を基準に前記１６ｍ基地局２０４，２０６のプリアンブル送信位置を計算できる。
【００４５】
以降、前記端末２００は、前記１６ｍ基地局２０４，２０６に対して計算されたプリアンブル送信位置を参照し、ステップ２１８及びステップ２２０にて、前記１６ｍ基地局２０４，２０６に対するスキャンを行う。
【００４６】
図３は、本発明の実施形態によってレガシー基地局と新しい基地局とが共存する環境における端末が新しい基地局にハンドオーバする信号の流れを示している。ここでは、新しいシステムの端末３００がレガシー基地局である１６ｅ基地局３０２と通信を行っており、前記１６ｅ基地局３０２に新しい基地局である１６ｍ基地局３０４が隣接している場合、前記端末３００が前記１６ｍ基地局３０４にハンドオーバする場合を例に挙げて説明する。
【００４７】
前記図３を参照すると、１６ｅ基地局３０２は、隣接基地局である１６ｍ基地局３０４に関する情報を獲得し、ステップ３１０にて、前記獲得した隣接基地局に関する情報を含む隣接基地局メッセージ（ＮＢＲ＿ＡＢＳ−ＡＤＶ）を前記端末３００に送信する。この時、前記隣接基地局メッセージは、前記表１、表２及び表３に示したように、隣接する１６ｍ基地局３０４のプリアンブル位置情報を含む。前記隣接基地局メッセージは、隣接する１６ｍ基地局のプリアンブルインデックス、基地局識別子、アップリンクチャネル情報、スーパーフレームヘッダ（ＳＦＨ；ｓｕｐｅｒｆｒａｍｅ  ｈｅａｄｅｒ）などのシステム構成情報などを含むことができ、このようなシステム構成情報は、前記端末３００のスキャン又はハンドオーバに使用され得る。また、前記隣接基地局メッセージは、前記１６ｅ基地局３０２に隣接する基地局の情報を端末に送信するためのメッセージであって、１６ｍシステムをサポートする隣接基地局の情報及び１６ｅシステムをサポートする隣接基地局の情報を含むことができることは勿論である。ここで、前記１６ｅ基地局３０２の隣接基地局として、１６ｅ基地局と１６ｍ基地局とが共存する場合、前記隣接基地局メッセージは、前記１６ｅ基地局と１６ｍ基地局とを別途のリストとして構成して含むことができる。
【００４８】
以降、前記１６ｅ基地局３０２は、ステップ３１２にて、前記１６ｍ基地局３０４へのハンドオーバを指示するハンドオーバ要求メッセージ（ＭＯＢ＿ＢＳＨＯ−ＲＥＱ）を前記端末３００に送信する。
【００４９】
すると、前記端末３００は、ステップ３１４にて、ハンドオーバ要求メッセージに対する応答として、ハンドオーバの遂行指示メッセージ（ＭＯＢ＿ＨＯ−ＩＮＤ）をサービング基地局である１６ｅ基地局３０２に送信し、ステップ３１６に進み、前記隣接基地局メッセージから前記１６ｍ基地局３０４のプリアンブル位置情報を獲得して１６ｍ基地局３０６がプリアンブルを送信する位置を計算する。例えば、前記端末３００は。前記隣接基地局メッセージから前記表１、表２又は表３に示すプリアンブル位置情報を獲得し、前記１６ｅ基地局３０２のフレーム番号を基準に前記１６ｍ基地局３０４のプリアンブル送信位置を計算できる。
【００５０】
以降、前記端末３００は、前記１６ｍ基地局３０４に対して計算されたプリアンブル送信位置を参照し、ステップ３１８にて、前記１６ｍ基地局３０４へのハンドオーバを行ってネットワークリエントリ手順を行う。
【００５１】
図４は、本発明の実施形態によってレガシー基地局と新しい基地局とが共存する環境におけるレガシー基地局の動作手順を示している。
【００５２】
前記図４を参照すると、レガシー基地局は、ステップ４０１にて、隣接する基地局の情報を獲得する。ここで、前記隣接する基地局の情報は、前記レガシー基地局を制御する上位ネットワークエンティティから受信することもでき、当該隣接基地局から直接受信することもできる。また、前記隣接する基地局の情報は、ユーザから直接入力されることもできる。また、前記隣接する基地局の情報は、前記レガシー基地局が端末に送信する隣接基地局メッセージを構成するために必要な情報を含み、特に前記隣接する他の基地局のフレーム時間情報を含む。
【００５３】
以降、前記レガシー基地局は、ステップ４０３にて、前記獲得した隣接基地局の情報に基づいて異なるモードの隣接基地局が存在するか否かを検査する。例えば、前記レガシー基地局は、記レガシー基地局と異なる通信規格をサポートする新しいシステムの基地局情報が前記獲得した隣接基地局の情報に含まれているか否かを検査する。
【００５４】
一方、異なるモードの隣接基地局が存在する場合、前記レガシー基地局は、ステップ４０５に進み、異なるモードの隣接基地局に関するプリアンブル位置情報を獲得する。例えば、前記レガシー基地局は、前記異なるモードの隣接基地局に関するフレーム時間情報を用いて、前記異なるモードの隣接基地局がプリアンブルを送信する位置を確認し、前記表１、表２又は表３に示すプリアンブル位置情報を生成する。例えば、前記レガシー基地局は、前記表１、表２又は表３に示す方式を適用して、前記レガシーシステムの偶数番目フレームに対応する時点に前記新しい基地局のプリアンブルが送信されるか、又は前記レガシーシステムの奇数番目フレームに対応する時点に前記新しい基地局のプリアンブルが送信されるかを示すプリアンブル位置情報を生成する。また、前記表２に示す方式を適用して、前記レガシーシステムの何番目フレームに対応する時点に前記新しい基地局のスーパーフレームヘッダが送信されるかを示すプリアンブル位置情報を生成する。
【００５５】
以降、前記レガシー基地局は、ステップ４０７にて、前記レガシー基地局と通信する新しいシステムの端末に前記プリアンブル位置情報を含む隣接基地局情報を送信する。ここで、前記レガシー基地局は、隣接基地局メッセージを介して前記プリアンブル位置情報を含む隣接基地局情報を前記端末に送信できる。また、前記レガシー基地局は、設計方式に応じて端末にスキャンを指示するユニキャストメッセージ又はハンドオーバの遂行を指示するユニキャストメッセージに前記プリアンブル位置情報を含めて送信することができる。
【００５６】
以降、前記レガシー基地局は、ステップ４０９に進み、前記端末のスキャン又はハンドオーバ動作を処理した後、本発明によるアルゴリズムを終了する。
【００５７】
一方、異なるモードの隣接基地局が存在しない場合、前記レガシー基地局は、ステップ４１１に進み、従来技術による動作と同様に、前記獲得した隣接基地局の情報を前記端末に送信し、ステップ４０９に進み、前記端末のスキャン又はハンドオーバ動作を処理した後、本発明によるアルゴリズムを終了する。
【００５８】
図５は、本発明の実施形態によってレガシー基地局と新しい基地局とが共存する通信環境における端末の動作手順を示している。ここで、前記端末は、レガシー基地局と通信を行っている新しいシステムの端末を意味する。
【００５９】
前記図５を参照すると、端末は、ステップ５０１にて、サービング基地局であるレガシー基地局から隣接基地局に関する情報を獲得する。すなわち、前記端末は、前記レガシー基地局から隣接基地局情報を含む隣接基地局メッセージ（ＮＢＲ＿ＡＢＳ−ＡＤＶ）を受信する。
【００６０】
以降、前記端末は、ステップ５０３にて、前記隣接基地局に関する情報に基づいて異なるモードの隣接基地局が存在するか否かを検査する。例えば、前記端末は、前記レガシー基地局と異なる通信規格をサポートする新しいシステムの基地局情報が前記獲得した隣接基地局の情報に含まれているか否かを検査する。ここで、前記隣接基地局メッセージに隣接するレガシー基地局の情報と隣接する新しい基地局の情報が区分されて別途のリストとして構成されることによって、前記端末が前記隣接基地局メッセージに異なるモードの隣接基地局が存在するか否かを判断できる。
【００６１】
もし、前記異なるモードの隣接基地局が存在する場合、前記端末は、ステップ５０５に進み、前記異なるモードの隣接基地局に関するプリアンブル位置情報を獲得する。例えば、前記端末は、前記レガシー基地局から受信された隣接基地局メッセージから前記表１、表２又は表３に示すプリアンブル位置情報を獲得する。前記端末は、設計方式に応じて端末にスキャンを指示するユニキャストメッセージ又はハンドオーバの遂行を指示するユニキャストメッセージから前記プリアンブル位置情報を獲得することもできる。
【００６２】
前記プリアンブル位置情報を獲得した端末は、ステップ５０７にて、前記プリアンブル位置情報を用いて前記レガシーシステムのフレームナンバーを基準に、前記新しい基地局のプリアンブルが送信される位置を計算する。例えば、前記表１に示す方式を適用したプリアンブル位置情報が受信される場合、前記端末は、前記レガシーシステムの偶数番目フレームで前記新しい基地局のプリアンブルが送信されるか、又は前記レガシーシステムの奇数番目フレームで前記新しい基地局のプリアンブルが送信されるかを計算する。また、前記表２に示す方式を適用したプリアンブル位置情報が受信される場合、前記端末は、前記レガシーシステムの何番目フレームで前記新しい基地局のスーパーフレームヘッダが送信されるか計算する。また、前記表３に示す方式を適用したプリアンブル位置情報が受信される場合、前記端末は、前記レガシーシステムで前記プリアンブル位置情報が受信されたフレームナンバーを基準に、Ｎミリセカンド、Ｎフレーム又はＮフレーム＋Ｍサブフレーム以降、前記新しい基地局のスーパーフレームヘッダが送信されるかを計算する。
【００６３】
以降、前記端末は、ステップ５０９に進み、前記計算されたプリアンブル送信位置に基づいて前記異なるモードの隣接基地局に対するスキャン又はハンドオーバ動作を行って本発明によるアルゴリズムを終了する。
【００６４】
一方、前記異なるモードの隣接基地局が存在しない場合、前記端末は、ステップ５１１に進み、前記隣接基地局情報が示す同じモードの隣接基地局に対するスキャン又はハンドオーバ動作を行って本発明によるアルゴリズムを終了する。
【００６５】
図６は、本発明の実施形態によるレガシー基地局のブロック構成を示している。
【００６６】
前記図６を参照すると、前記レガシー基地局は、制御部６００及び送受信部６１０を含んで構成され、前記制御部６００はプリアンブル位置情報生成部６０２を含んで構成される。
【００６７】
本発明の実施形態によれば、前記制御部６００は、前記基地局の全般的な動作を制御及び処理し、特に前記図４で説明した動作を行うための制御及び処理を行う。すなわち、前記制御部６００は、隣接基地局情報を獲得し、隣接基地局情報に異なるモードの基地局が含まれた場合、前記プリアンブル位置情報生成部６０２を介して前記異なるモードの基地局に対するフレーム時間に基づいて、前記異なるモードの基地局に関するプリアンブル位置情報を生成する。ここで、前記プリアンブル位置情報は、上記の例えば、表１、表２又は表３に示す方式を用いて、前記レガシー基地局のフレームナンバーを基準に生成される。前記制御部６００は、前記プリアンブル位置情報が生成されると、隣接基地局メッセージ、端末にスキャンを指示するユニキャストメッセージ又はハンドオーバの遂行を指示するユニキャストメッセージのうちいずれか１つのメッセージを用いて前記プリアンブル位置情報を端末に送信するための機能を制御及び処理する。
【００６８】
前記送受信部６１０は、前記制御部６００の制御によって、端末とやり取りする各種データ又はメッセージを送受信する機能を行う。
【００６９】
図７は、本発明の実施形態による端末のブロック構成を示している。
【００７０】
前記図７を参照すると、前記端末は制御部７００及び送受信部７１０を含んで構成され、前記制御部７００は、プリアンブル位置決定部７０２を含んで構成される。
【００７１】
前記制御部７００は、端末の全般的な動作を制御及び処理し、特に本発明によれば、前記図５で説明した動作を行うための制御及び処理を行う。例えば、前記制御部７００は、サービング基地局であるレガシー基地局から隣接基地局情報を獲得し、前記隣接基地局情報に異なるモードの基地局情報が含まれた場合、前記プリアンブル位置決定部７０２を介して前記異なるモードの基地局が送信するプリアンブルの位置を決定する。ここで、前記プリアンブル位置決定部７０２は、前記レガシー基地局から上記の表１、表２又は表３に示す方式を適用したプリアンブル位置情報を獲得し、獲得したプリアンブル位置情報と前記レガシー基地局のフレームナンバーとに基づいて前記異なるモードの基地局が送信するプリアンブルの位置を決定する。ここで、前記制御部７００は、隣接基地局メッセージ、端末にスキャンを指示するユニキャストメッセージ又はハンドオーバの遂行を指示するユニキャストメッセージのうちいずれか１つのメッセージを介して前記プリアンブル位置情報を獲得できる。
【００７２】
前記送受信部７１０は、前記制御部７００の制御によって、前記レガシー基地局及び新しい基地局とやり取りする各種データ又はメッセージを送受信する機能を行う。
【００７３】
上記の動作は、当該プログラムコードを格納したメモリ装置を基地局装置又は端末装置内の任意の構成部に具備することによって実現され得る。例えば、基地局装置又は端末装置の各構成部は、メモリ装置内に格納されたプログラムコードをプロセッサ又はＣＰＵ（Ｃｅｎｔｒａｌ  Ｐｒｏｃｅｓｓｉｎｇ  Ｕｎｉｔ）によって読み出して実行することによって上記の動作を実行することができる。
【００７４】
本発明は、レガシーシステムと新しいシステムとが共存する通信環境でレガシー基地局が新しい基地局に関するプリアンブル位置情報を端末に送信することによって、前記レガシー基地局からサービスを受ける端末が前記プリアンブル位置情報を用いて、前記新しい基地局のプリアンブル送信位置を計算することができ、これにより、スキャン及びハンドオーバを容易に行うことができる効果がある。
【００７５】
一方、本発明の詳細な説明では具体的な実施形態について説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【００７６】
２００  端末
２０２  １６ｅ基地局
２０４  第１の１６ｍ基地局
２０６  第２の１６ｍ基地局
【図１】
0006006304.tif 000005
【図２】
0006006304.tif 000006
【図３】
0006006304.tif 000007
【図４】
0006006304.tif 000008
【図５】
0006006304.tif 000009
【図６】
0006006304.tif 000010
【図７】
0006006304.tif 000011